(57)【特許請求の範囲】
【請求項１】
複数のコンタクトと該複数のコンタクトを保持するハウジングとを含むコネクタにおいて、
前記コンタクトは、前記ハウジングに保持される保持部と、該保持部から前記複数のコンタクトが配設される第１の方向と直交する第２の方向に延びた状態で設けられるバネ部と、該バネ部の位置から第２の方向にずれた位置に形成されている接触部とを有し、
前記コネクタと相手側コネクタとを前記第１の方向と直交し、かつ前記第２の方向と直交する第３の方向へ嵌合して接続する際に、
前記コネクタのコンタクトの接触部が、前記第１の方向で前記相手側コネクタのコンタクトのバネ部と接触し、
前記コネクタのコンタクトの接触部と前記相手側コネクタのコンタクトのバネ部との接触位置から第２の方向に異なる位置で、前記コネクタのコンタクトのバネ部が、前記第１の方向で前記相手側コネクタのコンタクトの接触部と接触することを特徴とするコネクタ。
【請求項２】
請求項１記載のコネクタにおいて、
前記ハウジングは、基部と、前記第１の方向で所定の間隔をもち且つ該基部から前記第２の方向の前記一方向へ延設されている複数のリブを有し、
前記リブは一対のコンタクト収容部を有し、
該コンタクト収容部それぞれには、前記コンタクトの前記バネ部及び前記接触部とが配設されていることを特徴とするコネクタ。
【請求項３】
請求項２記載のコネクタにおいて、
前記ハウジングは、前記第１の方向における端側の前記リブと対向するよう前記基部から延在している一対の位置決め部を有し、
該位置決め部の前記第２の方向の前記一方向の端部には、前記第１の方向の一方向へ突出している位置決め突起が形成されていることを特徴とするコネクタ。
【請求項４】
請求項１乃至３記載のコネクタは、前記コンタクトの前記バネ部と前記接触部とが配設された嵌合部を有し、
前記相手側コネクタの相手側嵌合部は前記嵌合部と同形状であることを特徴とする雌雄同体コネクタ。
【発明の詳細な説明】
【技術分野】
【０００１】
本発明は、基板と水平方向に接続するコネクタと、このコネクタと接続する相手側のコネクタとが同一形状である雌雄同体コネクタに関する。
【背景技術】
【０００２】
関連技術１としては、コネクタ本体と接続する第１の基板と第２の基板とで構成され、コネクタ本体がハウジングと接触子である第１のコンタクト及び第２のコンタクトから形成されており、第１の基板及び第２の基板とコネクタ本体とを固定する水平接続基板間コネクタが開示されている（例えば、特許文献１を参照）。
【０００３】
関連技術２としては、コネクタのハウジングの嵌合面に、基板と交差する方向へ開口するブレード受容スロットを有する突起が設けられている電気コネクタが開示されている。
【０００４】
各突起内にはレセプタクルコンタクトが配置されている。各突起の間にはブレードコンタクトが配置される。ハウジングは雌雄同形の相手方のコネクタと、基板に対して上下方向に挿抜される（例えば、特許文献２を参照）。
【０００５】
【特許文献１】特開２００１−６８１８４号公報
【特許文献２】特開平１０−９７８７８号公報
【発明の開示】
【発明が解決しようとする課題】
【０００６】
特許文献１のコネクタでは、引き抜き方向に干渉する物体があると、着脱が困難になるという問題がある。
【０００７】
また、特許文献１のコネクタでは、第１の基板と第２の基板との複数の基板が直列に接続されている場合、中間部の基板のみを外すことが不可能となる。
【０００８】
特許文献２のコネクタでは、レセプタクルコンタクト及びブレードコンタクトの２種類のコンタクトが必要となる。また、ブレードコンタクトは座屈しやすく、さらに外部へ露出しているため、感電やショートなどの恐れがある。
【０００９】
さらに、特許文献２のコネクタでは、１種類のコンタクトに１種類のリブ（突起）が形成されているため、複数のコンタクトを狭ピッチ化した際に、リブを細くする必要があるため、強度的に不利になるという問題がある。
【００１０】
それ故に、本発明の課題は、筐体などの実装面に対して直交する方向に自由度をもって嵌合・離脱することができるコネクタ及び雌雄同体コネクタを提供することにある。
【課題を解決するための手段】
【００１１】
本発明の例示的態様によれば、複数のコンタクトと該複数のコンタクトを保持するハウジングとを含むコネクタにおいて、前記コンタクトは、前記ハウジングに保持される保持部と、該保持部から前記複数のコンタクトが配設される第１の方向と直交する第２の方向に延びた状態で設けられるバネ部と、該バネ部の位置から第２の方向にずれた位置に形成されている接触部とを有し、前記コネクタと相手側コネクタとを前記第１の方向と直交し、かつ前記第２の方向と直交する第３の方向へ嵌合して接続する際に、前記コネクタのコンタクトの接触部が、前記第１の方向で前記相手側コネクタのコンタクトのバネ部と接触し、前記コネクタのコンタクトの接触部と前記相手側コネクタのコンタクトのバネ部との接触位置から第２の方向に異なる位置で、前記コネクタのコンタクトのバネ部が、前記第１の方向で前記相手側コネクタのコンタクトの接触部と接触するコネクタであることを最も主要な特徴とする。
【発明の効果】
【００１２】
本発明の例示的態様のコネクタによれば、コネクタを基板の表面に対し直交する方向にかつ基板に対して平行な方向に、ある程度の自由度をもって着脱できるため平行な方向に位置している物体に対して干渉しないという利点がある。
【００１３】
また、基板の複数枚を直列に接続した場合においては、中間部の基板のみを取外すことができる。
【００１４】
また、本発明の例示的態様のコネクタによれば、１つのリブに２本のコンタクトを配置することで、複数のコンタクト間のピッチに対して２倍のピッチでリブを形成できることから、リブを太くすることが可能となるのでリブの強度が向上するという利点がある。
【発明を実施するための最良の形態】
【００１５】
本発明の例示的態様におけるコネクタによれば、複数のコンタクトと該複数のコンタクトを保持するハウジングとを含むコネクタにおいて、前記コンタクトは、前記ハウジングに保持される保持部と、該保持部から前記複数のコンタクトが配設される第１の方向と直交する第２の方向において一方向へ延設されているバネ部と、該バネ部の先端側に形成されている接触部とを有し、前記コネクタと相手側コネクタとを前記第１の方向と直交し、かつ前記第２の方向と直交する第３の方向へ嵌合して接続する際に、前記接触部が前記第１の方向で前記バネ部と接触することにより実現した。
【実施例１】
【００１６】
図１乃至図３は、本発明に係る雌雄同体コネクタの例示的態様を示している。図１乃至図３を参照して、雌雄同体コネクタ１１は、複数のコンタクト２１と、コンタクト２１を保持するハウジング３１と、ハウジング３１に保持されているホールドダウン４１，４２とを有する。
【００１７】
以下、雌雄同体コネクタをコネクタと呼び、コネクタと接続する相手側コネクタがコネクタと同形状であることから、相手側の雌雄同体コネクタを相手側コネクタと呼び説明する。
【００１８】
さらに、以下の説明においては、コネクタ１１の長手方向を第１の方向Ａ（コンタクト２１が配設されているピッチ方向）と呼び、コネクタ１１において第１の方向Ａと直交する方向を第２の方向Ｂと呼び、第１及び第２の方向Ａ、Ｂと直交する方向を第３の方向Ｃと呼ぶことにする。
【００１９】
コンタクト２１は、全体の形状が略板形状を呈している。コンタクト２１は、図４及び図５において拡大して示したように、保持部２２と、保持部２２から第２の方向Ｂにおける一方向（延設方向）Ｂ１へ延設されているバネ部２３と、バネ部２３の一方向Ｂ１の先端側に形成されている接触部２４と、保持部２２から第２の方向Ｂにおける一方向Ｂ１と逆方向である他方向Ｂ２の端部に形成されている端子部２５とを有する。
【００２０】
コンタクト２１の保持部２２は、ハウジング３１に保持される部分である。バネ部２３及び接触部２４は、第１の方向Ａに変位する部分である。接触部２４は、第１の方向Ａにおいて後述する相手側コネクタのコンタクトと接触する部分である。接触部２４には、図４及び図５に示したように、第３の方向Ｃにおける一対の両端部２４ａが第１の方向Ａの一方向Ａ１もしくは一方向Ａ１と逆方向である他方向Ａ２のいずれかに傾くように曲げられている。
【００２１】
また、接触部２４には、相手側コネクタのコンタクトと接触させるために両端部２４ａの曲げ方向とは反対側へ突出している突起状の接点部２４ｂが形成されている。端子部２５は後述する基板の回路と半田により接続される部分である。
【００２２】
コネクタ１１は、相手側コネクタと接続する際に、バネ部２３の延設方向と直交する第１の方向Ａにおいて、相手側コネクタのコンタクトと接触する。
【００２３】
なお、コンタクト２１は、導電板をプレス加工により打ち抜いた後に、曲げ加工を施すことによって作ることができる。接点部２４ｂは、接触部２４に一対の切り込み形成して、一対の切り込み間を第１の方向Ａの一方向へ打ち出すことによって形成することができる。実施例１におけるコンタクト２１は、図５に示した軸線Ｘを中心線とすると対称形状に作られている。
【００２４】
ハウジング３１は、絶縁材料を成型加工することによって作られている。ハウジング３１は、図６及び図７にも示すように、第１の方向Ａへ長い寸法で延びている角柱形状の基部３２と、基部３２の第１面３２ａから一方向Ｂ１へ突出している複数のリブ３３とを有する。
【００２５】
基部３２には、第２の方向Ｂにおいて第１面３２ａ及び第２面３２ｂ間を貫通している複数の孔３２ｃ（図４を参照）が形成されている。基部３２には、各リブ３３の両側に孔３２ｃが形成されている。孔３２ｃの内壁面には、コンタクト２１の保持部２２が圧入され保持されている。なお、コンタクト２１は、同一形状のものが第１の方向Ａにおいて互いに板面が対向するようにかつコンタクト２１の接点部２４ｂが互いに外向きになるようにリブ３３を挟んで基部３２に保持されている。
【００２６】
複数のリブ３３は、第１の方向Ａにおいて互いに所定の間隔をもって基部３２と一体に連結されている。即ち、リブ３３は、図３及び図４によって最も良くわかるように、一対の孔３２ｃの間の基部３２から第２の方向Ｂの一方向Ｂ１へ延びている。
【００２７】
各リブ３３には、第１の方向Ａで互いに対向する面に一対のコンタクト収容部３３ａが形成されている。コンタクト収容部３３ａは、第１の方向Ａで互いに対向する面を溝形状に切り欠いて形成されている部分である。コンタクト収容部３３ａには、コンタクト２１のバネ部２３及び接触部２４が溝形状のコンタクト収容部３３ａの底面に対向するように収容されている。
【００２８】
即ち、１つのリブ３３には、２つのコンタクト収容部３３ａが第１の方向Ａにおいてリブ３３の仕切部３３ｇを介して対向するように形成されている。したがって、１つのリブ３３には、２つのコンタクト２１が一対のコンタクト収容部３３ａのそれぞれに収容されている。
【００２９】
更に、リブ３３には、一方向Ｂ１へ向かって先細りとなるようにコンタクト収容部の３３ａの底面を傾斜させて形成させた第１傾斜面３３ｅ（図４を参照）と第２傾斜面３３ｆ（図４を参照）とが形成されている。第１傾斜面３３ｅと第２傾斜面３３ｆは、図４に示したように、断面においてテーパー形状になるように形成されている。
【００３０】
第１及び第２傾斜面３３ｅ，３３ｆには、コンタクト２１のバネ部２３が対向している。したがって、コンタクト２１のバネ部２３及び接触部２４は、第１の方向Ａへ変位することが可能となっている。なお、図４に示したコネクタ１１においては、ホールドダウン４２を省略している。
【００３１】
また、ハウジング３１は、複数のリブ３３の第１の方向Ａにおける一方向Ａ１端側のリブ３３に対向するように形成されている第１位置決め部３４と、複数のリブ３３の第１の方向Ａにおける他方向Ａ２側端側のリブ３３に対向するように形成されている第２位置決め部３５とを有する。
【００３２】
さらに、ハウジング３１には、基部３２の第１の方向Ａの一方向Ａ１端に形成されている第１ブロック部３６と、基部３２の第１の方向Ａの他方向Ａ２端に形成されている第２ブロック部３７とを有する。
【００３３】
第１位置決め部３４には、第２の方向Ｂの一方向Ｂ１の前端部に第１位置決め突起３４ａが形成されている。第１位置決め突起３４ａは、第１の方向Ａにおける一方向Ａ１へ突出している。第２位置決め部３５には、第２の方向Ｂの一方向Ｂ１の前端部に第２位置決め突起３５ａが形成されている。第２位置決め突起３５ａは、第１の方向Ａにおける一方向Ａ１へ突出している。
【００３４】
したがって、第２の位置決め突起３５ａは、第１の方向Ａの他方向Ａ２側のリブ３３と対向している。なお、第１の位置決め突起３４ａは、図１及び図２に示されているようにリブ３３とは対向していない。
【００３５】
第１ブロック部３６は、図２、図６に示したように、基部３２の第２面３２ｂから第２の方向Ｂの他方向Ｂ２へ延びている。第１ブロック部３６には、ホールドダウン４１を保持するための保持溝３６ｄ（図６を参照）が形成されている。第２ブロック部３７は、基部３２の第２面３２ｂから第２の方向Ｂの他方向Ｂ２へ延びている。第２ブロック部３７には、ホールドダウン４２を保持するための保持溝３７ｄ（図７を参照）が形成されている。
【００３６】
さらに、ハウジング３１の第１の方向Ａ及び第２の方向Ｂと平行な第１ブロック部３６の一面には、位置決めピン３６ｅ（図２を参照）が形成されている。位置決めピン３６ｅは、基板に形成されている孔に挿入することによってハウジング３１を位置決めする部分である。
【００３７】
また、ハウジング３１の第１の方向Ａ及び第２の方向Ｂと平行な第２ブロック部３７の一面には、位置決めピン３７ｅ（図２を参照）が形成されている。位置決めピン３７ｅは、基板に形成されている孔に挿入されてハウジング３１を位置決めする部分である。
【００３８】
さらに、ハウジング３１には、第２面３２ｂから第２の方向Ｂの他方向Ｂ２へ突出している複数の突部３８が形成されている。突部３８の第１の方向Ａにおける両側壁には、コンタクト２１の端子部２５が対向している。
【００３９】
一方のホールドダウン４１は、図８に拡大して示したように、後述する基板の導電部（図示せず）に半田付けにより固定される第１固定部４１ａと、第１固定部４１ａの一辺から略直角に曲げられている係合部４１ｃと、係合部４１ｃから第１固定部４１ａと略平行にして対向するように曲げられている第２固定部４１ｄとを有する。
【００４０】
なお、第１固定部４１ａには、コネクタ１１をネジ止めにより固定する際に用いられ、基板とネジ止めするためにネジを通す一対のネジ溝４１ｂが形成されている。係合部４１ｃには、保持溝３６ｄの保持部（図示せず）と係合し保持される切欠き溝４１ｆが形成されている。なお、他方のホールドダウン４２は、一方のホールドダウン４１と同じ形状であることから説明を省略する。
【００４１】
図９は、コネクタ１１と、このコネクタ１１と相手側コネクタ１１´とを示している。なお、コネクタ１１及び相手側コネクタ１１´は、前述したように、これらが同形状である雌雄同体コネクタである。即ち、コネクタ１１は、コンタクト２１のバネ部２３と接触部２４とを配設している複数のリブ３３の部分が、相手側コネクタ１１´の相手側嵌合部と嵌合する嵌合部となっている。相手側コネクタ１１´の相手側嵌合部は、コネクタ１１の嵌合部と同形状である。
【００４２】
したがって、相手側コネクタ１１´のコンタクト２１及びハウジング３１はコネクタ１１と同形状に作られているものである。
【００４３】
以下、図９及び図１０を参照して、コネクタ１１と相手側コネクタ１１´とが嵌合し電気的に接続する作業について説明する。なお、図９及び図１０に示したコネクタ１１及び相手側コネクタ１１´においては、それぞれがハウジング３１に３つのリブ３３、第１位置決め部３４、第２位置決め部３５、第１ブロック部３６及び第２ブロック部３７を備えている形状となっている。ハウジング３３には、３つのリブ３３のそれぞれに一対のコンタクト２１が配設されている。
【００４４】
さらに、第１ブロック部３６及び第２ブロック部３７には、ホールドダウン４１，４２及びホールドダウン４１，４２を保持する部分について省略している。
【００４５】
コネクタ１１及び相手側コネクタ１１´は、図９に示したように、第１の方向Ａにおいて互いにリブ３３同士が干渉しないように合わせることで第３の方向Ｃにおいて嵌合させることができる。
【００４６】
相手側コネクタ１１´は、図９の紙面において示したコネクタ１１に対して、コネクタ１１を紙面と平行な状態で１８０度回転させた状態になっており、もう一つの別な基板に実装される。コネクタ１１の端子部２５は、基板の回路（導電部）と半田によって接続される。相手側コネクタ１１´の端子部２５は、もう一つの別な基板の回路（導電部）と半田によって接続される。
【００４７】
図１０及び図１１は、コネクタ１１と相手側コネクタ１１´とが嵌合し接続されている状態を示している。図１０及び図１１によって明らかなように、コネクタ１１の第１位置決め部３４に形成されている第１位置決め突起３４ａは、相手側コネクタ１１´の第２位置決め部３５と第１の方向Ａにおいて近接するように対向している。
【００４８】
また、コネクタ１１の第２位置決め部３５の第２位置決め突起３５ａは、相手側コネクタ１１´の第１位置決め部３４と第１の方向Ａにおいて近接するように対向している。
【００４９】
したがって、第１位置決め突起３４ａと第２位置決め突起３５ａとは、第２の方向Ｂにおいて自由度をもって組み合わされており、第２の方向Ｂにおいて嵌合の外れを防止し引掛り部の役目を果たす。
【００５０】
図１０及び図１１によって示したように、コネクタ１１と相手側コネクタ１１´とが嵌合状態にあるときには、コネクタ１１におけるコンタクト２１の接触部２４が相手側コネクタ１１´のコンタクト２１のバネ部２３に接触している。このとき、相手側コネクタ１１´のハウジング３１に保持されているコンタクト２１の接触部２４は、コネクタ１１のハウジング３１に保持されているコンタクト２１のバネ部２３に接触している。
【００５１】
したがって、コネクタ１１のコンタクト２１と相手側コネクタ１１´のコンタクト２１とは、それぞれが接触部２４とバネ部２３との２点で互いに接触している。このように嵌合状態では、１つのコンタクトに２か所の接点をもつことで、より確実な電気的接続を維持することができる。
【００５２】
なお、図９及び図１０によって分かるように、第１の方向Ａにおいて第１の位置決め部３５に対向している１つのリブ３３においてリブ３３の外側に位置しているコンタクト２１´は、接触相手をもたないダミーとなるコンタクト２１´である。
【００５３】
したがって、ダミーとなるコンタクト２１´は、ハウジング３１から、あらかじめ取外しておいてもよい。
【００５４】
また、コネクタ１１と相手側コネクタ１１´においては、１つのリブにコンタクトを対向する向きに２本配置するため、対向する向きにコンタクト２１を配置する場合でも１種類のみのコンタクト２１で製作することが可能である。また、１つのコンタクト２１は、嵌合時に２か所の接点をもつことで、より確実な電気的接続を維持することができる。
【００５５】
また、１つのリブ３３には２つのコンタクト２１を対向する向きに配置していることから、コンタクト２１の接点部２４ｂ間のピッチに対しリブ３３が２倍のピッチで形成できるため、狭ピッチ化した際にリブ３３の強度を得やすい。
【００５６】
さらに、嵌合時には、リブ３３について２本のコンタクト２１の接触力が互いに相殺するように第１の方向Ａで対向する方向へ働くため、嵌合時においてハウジング３１の反りを防止できる。
【００５７】
なお、図１乃至図３、図８に示したホールドダウン４１、４２は、コンタクト２１の端子部２５を半田により基板又はもう一つの別な基板と接続した際の強度を補う実装のために有効なものである。さらに、コンタクト２１やホールドダウン４１、４２は、圧入することによりハウジング３１に保持することができる。
【００５８】
また、コンタクト２１やホールドダウン４１、４２は、ハウジング３１を製作する際に、ハウジング３１のインサート成型時に同時に保持することができる。なお、ホールドダウン４１、４２は、コンタクト２１と基板又はもう一つの別な基板と半田によって接続することで実装強度が十分であれば不要なものとなる。
【００５９】
図１２及び図１３は、コネクタ１１と相手側コネクタ１１´とが嵌合する前の状態を断面によって示している。
【００６０】
図１４は、コネクタ１１と相手側コネクタ１１´とにより複数の基板５１〜５４間を直列に接続する例を示している。コネクタ１１及び相手コネクタ１１´は、基板５１〜５４へ実装して使用する。基板５１〜５４は、たとえば、図１５に示す金属材からなる筐体６１などにネジ止めなどで保持される。したがって、基板５１〜５４は、筐体６１に固定されている状態からネジを取り除くことによって取り外すことができる。
【００６１】
複数の基板５１〜５４は、図１５に示すように、コネクタ１１と相手コネクタ１１´により接続し筐体６１に基板５１〜５４が固定される。複数の基板５１〜５４は、筐体６１に対して第３の方向Ｃで着脱することが可能である。
【００６２】
即ち、複数の基板５１〜５４が直列に複数配置される場合でも、基板５１〜５４の表面に対して直交する鉛直方向（第３の方向Ｃ）において着脱できるので、例えば図１５に示したように、中間部分に実装されている１つの基板５３のみを取り外すことができる。
【００６３】
コネクタ１１と相手側コネクタ１１´とを嵌合した後は、図１５に示すように、基板５１〜５４の表面に対して水平な一方向にある程度の自由度をもつ。嵌合した後に、基板５１〜５４の表面と水平な第１及び第２の方向Ａ，Ｂで、ある程度の自由度をもつことができるので、基板５１〜５４への実装ずれや、熱膨張などによる伸縮ずれも吸収し、接続を保持することが可能となる。
【００６４】
なお、図１５において、コネクタ１１及び相手コネクタ１１´を基板５１〜５４へ実装状態は、表面実装（ＳＭＴ）タイプであるが、基板５１〜５４側のコンタクト２１の形状を変更することにより基板５１〜５４への異なる固定ができる。
【００６５】
例えば、基板５１〜５４にはスルーホールを形成し、図１６に示すようにコンタクト２１の端子部２５から延在させたプレスフィット部２６を形成し、基板５１〜５４のスルーホールへ実装することも可能である。この際、基板５１〜５４に形成したスルーホールへプレスフィット部２６を押し込んだ後、基板５１〜５４の反対面へ突き出したプレスフィット部２６の先端部と基板５１〜５４の回路とを半田付けする。
【００６６】
また、図１７に示すように、コンタクト２１には、端子部２５から延出した延出部２７の端部に押し当て部２７ａを形成し、基板５１〜５４に設けられている接点部と半田により固定することができる。
【００６７】
また、本発明の例示的態様の雌雄同体コネクタによれば、雌雄同体形状であるため、同形状のコンタクトを対向して配置することで、部品点数の削減に伴う金型設備の削減ができ低コスト化が図れる。
【産業上の利用可能性】
【００６８】
本発明の雌雄同体コネクタは、ブレード型コンタクト及びリセプタクルコンタクトを有するコネクタや、水平方向でかつ基板が直列に複数配置された基板間を接続するための用途に適用できる。
【図面の簡単な説明】
【００６９】
【図１】本発明の例示的実施形態に係る雌雄同体コネクタの斜視図である。
【図２】図１に示した雌雄同体コネクタを底面から見た状態の斜視図である。
【図３】図１に示した雌雄同体コネクタの右側部分を拡大して示した斜視図である。
【図４】図２に示した雌雄同体コネクタの左側部分を平面で断面して示した断面図である。
【図５】図１に示した雌雄同体コネクタのコンタクトを拡大して示した斜視図である。
【図６】図１に示した雌雄同体コネクタのハウジングを示した斜視図である。
【図７】図６に示したハウジングを底面から見た状態の斜視図である。
【図８】図１に示した雌雄同体コネクタのホールドダウンを拡大して示した斜視図である。
【図９】図１に示した雌雄同体コネクタと相手側の雌雄同体コネクタとを概略図として示した斜視図であり、突部等は省略してある。
【図１０】図９に示した雌雄同体コネクタと相手側の雌雄同体コネクタとの嵌合状態を示した斜視図である。
【図１１】図４に示した雌雄同体コネクタと相手側の雌雄同体コネクタとの嵌合状態を平面で断面して示した断面図である。
【図１２】図１１に示した雌雄同体コネクタと相手側の雌雄同体コネクタとの嵌合前の状態を嵌合方向で断面して示した断面図である。
【図１３】図１１に示した雌雄同体コネクタと相手側の雌雄同体コネクタとの嵌合前の状態を嵌合方向で断面して示した断面図である。
【図１４】図１１に示した雌雄同体コネクタと相手側の雌雄同体コネクタとにより複数の基板を接続した状態を示した平面図である。
【図１５】図１４に示した雌雄同体コネクタと相手側の雌雄同体コネクタとにより複数の基板の一つを取外した状態を正面から見た正面図である。
【図１６】図５に示したコンタクトの変形例を示す斜視図である。
【図１７】図５に示したコンタクトの変形例を示す斜視図である。
【符号の説明】
【００７０】
１１    コネクタ（雌雄同体コネクタ）
１１´    相手側コネクタ（雌雄同体コネクタ）
２１，２１´    コンタクト
２２    保持部
２３    バネ部
２４    接触部
２４ｂ    接点部
２５    端子部
３１    ハウジング
３２    基部
３３    リブ
３３ａ    コンタクト収容部
３３ｅ    第１傾斜面
３３ｆ    第２傾斜面
３４    第１位置決め部
３４ａ    第１位置決め突起
３５    第２位置決め部
３５ａ    第２位置決め突起
３６    第１ブロック部
３７    第２ブロック部
３８    突部
４１，４２    ホールドダウン
５１〜５４    基板
Ａ    第１の方向
Ａ１、Ｂ１    一方向
Ａ２，Ｂ２    他方向
Ｂ    第２の方向
Ｃ    第３の方向
【図１】
0004536120.tif 000002
【図２】
0004536120.tif 000003
【図３】
0004536120.tif 000004
【図４】
0004536120.tif 000005
【図５】
0004536120.tif 000006
【図６】
0004536120.tif 000007
【図７】
0004536120.tif 000008
【図８】
0004536120.tif 000009
【図９】
0004536120.tif 000010
【図１０】
0004536120.tif 000011
【図１１】
0004536120.tif 000012
【図１２】
0004536120.tif 000013
【図１３】
0004536120.tif 000014
【図１４】
0004536120.tif 000015
【図１５】
0004536120.tif 000016
【図１６】
0004536120.tif 000017
【図１７】
0004536120.tif 000018